【手続補正書】
【提出日】平成16年2月5日(2004.2.5)
【手続補正１】
【補正対象書類名】明細書
【補正対象項目名】特許請求の範囲
【補正方法】変更
【補正の内容】
【特許請求の範囲】
【請求項１】
相手通信機器との通信開始前に、該相手通信機器に位置情報を要求する位置情報要求手段と、
前記位置情報要求手段の要求に応答して相手通信機器から送られてくる位置情報を取得する位置取得手段と、
前記位置取得手段によって取得された位置情報に基づいて、前記相手通信機器との通信に要する通信料金情報を取得する通信料金取得手段と、
前記通信料金取得手段によって取得された通信料金情報を認識可能に通知する通知手段と
を具備することを特徴とする通信機器。
【請求項２】
前記位置情報は、位置登録された基地局に割り当てられた固有の識別番号であることを特徴とする請求項１記載の通信機器。
【請求項３】
前記位置取得手段によって取得された位置情報に基づいて、前記相手通信機器との距離を取得する距離取得手段を具備し、
前記通知手段は、前記通信料金に加えて、自身と相手通信機器との距離を通知することを特徴とする請求項１記載の通信機器。
【請求項４】
前記位置取得手段によって取得された位置情報に基づいて、前記相手通信機器の所在地名を取得する所在地名取得手段を具備し、
前記通知手段は、前記通信料金に加えて、相手通信機器の所在地名を通知することを特徴とする請求項１記載の通信機器。
【請求項５】
前記相手通信機器端末は、発呼側通信機器であることを特徴とする請求項１ないし４のいずれかに記載の通信機器。
【請求項６】
前記相手通信機器は、着呼側通信機器であることを特徴とする請求項１ないし４のいずれかに記載の通信機器。
【請求項７】
通信網に接続された発呼側通信機器および着呼側通信機器とを含む通信システムにおいて、
前記発呼側通信機器は、通信網に対して前記着呼側通信機器の着呼番号に位置情報要求を付加して発呼し、
前記着呼側通信機器は、通信網を介して位置情報要求を受信すると、自身の位置を示す位置情報を返信し、
前記発呼側通信機器は、前記着呼側通信機器の位置情報に基づいて、前記着呼側通信機器との通信に要する通信料金を算出し、該通信料金を認識可能に通知することを特徴とする通信システム。
【請求項８】
前記発呼側通信機器は、前記通信料金を表示することを特徴とする請求項７記載の通信システム。
【請求項９】
前記位置情報要求は、呼設定メッセージのサブアドレスまたはファシリティメッセージのいずれかに含まれていることを特徴とする請求項７記載の通信システム。
【請求項１０】
通信網に接続された発呼側通信機器および着呼側通信機器とを含む通信システムにおいて、
前記発呼側通信機器は、通信網に対して前記着呼側通信機器の着呼番号で発呼し、
前記着呼側通信機器は、通信網からの着呼があると、前記発呼側通信機器に位置情報要求を送信し、
前記発呼側通信機器は、前記通信網を介して位置情報要求を受信すると、自身の位置を示す位置情報を返信し、
前記着呼側通信機器は、前記発呼側通信機器の位置情報に基づいて、前記発呼側通信機器との通信に要する通信料金を算出し、該通信料金を認識可能に通知することを特徴とする通信システム。
【請求項１１】
前記着呼側通信機器は、前記通信料金を表示することを特徴とする請求項１０記載の通信システム。
【請求項１２】
前記位置情報要求は、ファシリティメッセージに含まれていることを特徴とする請求項１０記載の通信システム。
【請求項１３】
通信網に接続された通信機器の通信方法において、相手通信機器との通信開始前に、該相手通信機器の位置情報を取得し、該位置情報に基づいて前記相手通信機器との通信に要する通信料金を認識可能に通知することを特徴とする通信方法。
【請求項１４】
通信網を管理する網管理装置、該通信網に接続された発呼側通信機器および着呼側通信機器とを含む通信システムにおいて、
前記発呼側通信機器は、通信網に対して前記着呼側通信機器の着呼番号に位置情報要求を付加して発呼し、
前記網管理装置は、前記発呼側通信機器からの発呼に対して、前記着呼側通信機器を識別する識別番号に基づいて、該着呼側通信機器の位置を示す位置情報を検索し、該位置情報を前記発呼側通信機器に返信し、
前記発呼側通信機器は、前記網管理局からの前記着呼側通信機器の位置情報に基づいて、前記着呼側通信機器との通信に要する通信料金を算出し、該通信料金を認識可能に通知することを特徴とする通信システム。
【請求項１５】
通信網を管理する網管理装置、該通信網に接続された発呼側通信機器および着呼側通信機器とを含む通信システムにおいて、
前記発呼側通信機器は、前記通信網に対して前記着呼側通信機器の着呼番号で発呼し、
前記着呼側通信機器は、前記通信網からの着呼があると、前記網管理装置に位置情報要求を送信し、
前記網管理装置は、前記着呼側通信機器からの位置情報要求を受信すると、前記発呼側通信機器を識別する識別番号に基づいて、該発呼側通信機器の位置を示す位置情報を検索し、該位置情報を前記着呼側通信機器に返信し、
前記着呼側通信機器は、前記発呼側通信機器の位置情報に基づいて、前記発呼側通信機器との通信に要する通信料金を算出し、該通信料金を認識可能に通知することを特徴とする通信システム。
【請求項１６】
通信網に接続された発呼側通信機器および着呼側通信機器と、前記発呼側および着呼側通信機器に関する情報を管理する網管理装置と、前記発呼側および着呼側通信機器を通信網に接続する基地局とを含み、時間帯により異なる通信料金のサービスを提供する通信システムにおいて、
前記発呼側通信機器は、通信網に対して前記着呼側通信機器の着呼番号に料金情報要求を付加して発呼し、
前記基地局は、前記発呼側通信機器からの発呼に対して、前記網管理装置に前記発呼側通信機器を識別するための識別番号を送信し、
前記網管理装置は、前記発呼側通信機器の識別番号に基づいて通信機器の使用者との間で契約されたサービス内容を示す契約情報を検索することにより、前記発呼側通信機器が現時間帯で利用可能なサービスの通信料金を取得し、該通信料金を前記基地局に返信し、
前記基地局は、前記網管理局から返信される通信料金に対応する呼出音データを選択し、該呼出音データを前記発呼側通信機器に送信し、
前記発呼側通信機器は、前記基地局からの呼出音データに基づいて呼出音を鳴動し、前記着呼側通信機器の応答を待つことを特徴とする通信システム。
【請求項１７】
前記発呼側通信機器は、自身が契約しているサービス内容を示す契約情報を保持し、通常の発呼では、該契約情報を検索することにより、現時間帯で利用可能なサービスの通信料金を取得し、該通信料金に応じた呼出音を鳴動し、前記着呼側通信機器の応答を待つことを特徴とする請求項１６記載の通信システム。
【請求項１８】
前記通常の発呼は、新規契約または契約更新直後以外の発呼であることを特徴とする請求項１７記載の通信システム。
【請求項１９】
前記網管理装置は、前記発呼側通信機器による発呼が新規契約または契約更新直後の場合、前記発呼側通信機器の識別番号に基づいて通信機器の使用者との間で契約されたサービス内容を示す契約情報を検索することにより、前記発呼側通信機器に対する契約情報を取得し、該契約情報を前記基地局に返信し、前記発呼側通信機器は、前記基地局を介して受信した契約情報により、自身が保持している契約情報を更新することを特徴とする請求項１７記載の通信システム。
【手続補正２】
【補正対象書類名】明細書
【補正対象項目名】０００６
【補正方法】変更
【補正の内容】
【０００６】
【課題を解決するための手段】
上記目的達成のため、請求項１記載の発明による通信機器は、相手通信機器との通信開始前に、該相手通信機器に位置情報を要求する位置情報要求手段と、前記位置情報要求手段の要求に応答して相手通信機器から送られてくる位置情報を取得する位置取得手段と、前記位置取得手段によって取得された位置情報に基づいて、前記相手通信機器との通信に要する通信料金情報を取得する通信料金取得手段と、前記通信料金取得手段によって取得された通信料金情報を認識可能に通知する通知手段とを具備することを特徴とする。